【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
送信された無線信号を検出する装置であって、
前記送信された無線信号の受信したものを電気信号に変換するフロントエンドと、
各ＲＡＫＥフィンガが、前記電気信号を並列に処理するとともに、
パルスのシーケンスを生成するプログラム可能なパルス発生器と、
前記フロントエンドの出力と前記プログラム可能なパルス発生器の出力との積に機能的に関連する信号を生成するように、前記フロントエンドの出力及びプログラム可能なパルス発生器の出力に接続された乗算器と、
前記乗算器の出力を濾過するローパスフィルタと、
前記ローパスフィルタの出力をスケーリングする調整可能な重みブロックとをさらに含む、複数のＲＡＫＥフィンガと、
各ＲＡＫＥフィンガ内の各プログラム可能なパルス発生器からのパルスの各シーケンスのタイミングを調整するパルスシーケンスコントローラと、
各ＲＡＫＥフィンガ内の前記各調整可能な重みブロックに対して重みを調整する重みコントローラと、
各ＲＡＫＥフィンガの出力を合成して、前記送信された無線信号に対応する信号を再生するように構成された加算ブロックと
を備える送信された無線信号を検出する装置。
【請求項２】
前記送信された無線信号は、超広帯域信号である
請求項１記載の装置。
【請求項３】
前記パルスのシーケンスのパターンは、送信機において前記送信された信号を拡散させるために用いられるパルスのパターンと同じである
請求項１記載の装置。
【請求項４】
前記パルスの各シーケンスのタイミングは、前記無線信号を送信するために用いられる多経路チャネルにおける１つの経路の遅延と一致する
請求項１記載の装置。
【請求項５】
前記ローパスフィルタは、前記ローパスフィルタへの入力の時間積分と比例する出力を生成する
請求項１記載の装置。
【請求項６】
前記ローパスフィルタは、積分および放電フィルタである
請求項１記載の装置。
【請求項７】
前記電気信号は、同相成分及び直交成分から構成される複素信号である
請求項１記載の装置。
【請求項８】
前記電気信号は、デジタル信号の形態である
請求項４記載の装置。
【請求項９】
前記プログラム可能なパルス発生器、前記乗算器、前記ローパスフィルタ、及び前記調整可能な重みブロックは、任意の順序で各ＲＡＫＥフィンガにおいて直列に接続されている
請求項１記載の装置。
【請求項１０】
前記ローパスフィルタと前記加算ブロックとの間に接続された調整可能な遅延ブロックをさらに含む
請求項１記載の装置。
【請求項１１】
各ＲＡＫＥフィンガが、サンプルホールドブロックをさらに含み、前記サンプルホールドブロックは、アナログ−デジタル変換器である
請求項１０記載の装置。
【請求項１２】
入力信号の遅延されたものと比例する出力信号を生成するようになっている調整可能な遅延ユニットをさらに含み、
遅延値は、制御入力によって確定される
請求項１記載の装置。
【請求項１３】
送信された無線信号を検出する装置であって、
前記送信された無線信号の受信したものを電気信号に変換するフロントエンドと、
パルスのシーケンスを生成するプログラム可能なパルス発生器と、
前記プログラム可能なパルス発生器の出力に接続され、複数のパルスのシーケンスを生成するデマルチプレクサと、
パルスの各シーケンスのタイミングを調整するパルスシーケンスコントローラと、
各ＲＡＫＥフィンガが、前記電気信号を並列に処理するとともに、
前記フロントエンドの出力と前記プログラム可能なパルス発生器の出力との積に機能的に関連する信号を生成するように、前記フロントエンドの出力及び前記デマルチプレクサの出力に接続された乗算器と、
前記乗算器の出力を濾過するローパスフィルタと、
前記ローパスフィルタの出力をスケーリングする調整可能な重みブロックとをさらに含む、複数のＲＡＫＥフィンガと、
各ＲＡＫＥフィンガ内の各調整可能な重みブロックに対して重みを調整する重みコントローラと、
各ＲＡＫＥフィンガの出力を合成して、前記送信された無線信号に対応する信号を再生するように構成された加算ブロックと
を備える送信された無線信号を検出する装置。
【請求項１４】
送信された無線信号を検出する方法であって、
前記送信された無線信号の受信したものを電気信号に変換すること、
パルスのシーケンスを調整可能なタイミングで生成すること、
前記パルスのシーケンスを前記電気信号で乗算すること、
前記乗算することによって生成される信号を低域濾過すること、
及び
前記濾過された信号を調整可能な重みでスケーリングすることを有する、複数のＲＡＫＥフィンガにおいて前記電気信号を並列に処理すること、
並びに
前記スケーリングされた信号を加算して、前記送信された無線信号に対応する信号を再生すること
を含む送信された無線信号を検出する方法。
【手続補正２】
【補正対象書類名】明細書
【補正対象項目名】００２２
【補正方法】変更
【補正の内容】
【００２２】
本発明によるＲＡＫＥ受信機２００と、従来技術のＲＡＫＥ受信機１００との相違は、調整可能な遅延ブロック１１１および遅延コントローラ１２０が削除され、単一の逆拡散波長生成器１３０が、各ＲＡＫＥフィンガ２１０に対して１つずつ、複数のプログラム可能なパルス発生器２１１で置き換えられていることである。
【手続補正３】
【補正対象書類名】明細書
【補正対象項目名】００２９
【補正方法】変更
【補正の内容】
【００２９】
図３は、このシンボルレートの条件が合致しない状況に対する別の受信機３００を示す。受信機３００に対する性能は、従来技術のＲＡＫＥ受信機１００に対するものと同じである。受信機２００から除去された調整可能な遅延ブロックは、各ＲＡＫＥフィンガ３１０において、調整可能な遅延ブロック３１６として再度取り入れられる。
【手続補正４】
【補正対象書類名】明細書
【補正対象項目名】００３０
【補正方法】変更
【補正の内容】
【００３０】
しかし、本実施の形態では、遅延ブロック３１６は、フィンガ３１０における最後の機能ブロックとして配置されている。これによって、遅延を処理する（implement）ことがはるかに容易になる。なぜなら、この時点における信号帯域幅は、ローパスフィルタ２１３の前よりもはるかに狭くなるからである。ブロック３１６は、任意選択であることを示すために、破線の輪郭線で示される。
【手続補正５】
【補正対象書類名】明細書
【補正対象項目名】００３１
【補正方法】変更
【補正の内容】
【００３１】
各フィンガ３１０はまた、サンプルホールドブロック３１８を有する。繰り返すが、破線の輪郭線は、ブロック３１８もまた任意選択であることを示す。これらのブロックは、調整可能な重みブロック２１４およびフィンガにおいて続く調整可能な遅延ブロック３１６を実施するのを容易にする。これは、特に、サンプルホールドブロック３１８が、Ａ／Ｄコンバータとして実施されるときに当てはまるため、続くすべての機能は、デジタル形式で実施され得る。調整可能な重みおよび遅延ブロックは、重みおよび遅延コントローラ３４０によって制御される。
【手続補正６】
【補正対象書類名】明細書
【補正対象項目名】００３３
【補正方法】変更
【補正の内容】
【００３３】
別の実施の形態も可能である。特に、各ＲＡＫＥ３１０における最後の４つの機能ブロック２１３、３１８、２１４、および３１６は、受信機３００の機能に影響を与えずに、任意の順序で各フィンガにおいて直列に接続されることができる。図３は、好ましい順序を示す。
【手続補正７】
【補正対象書類名】図面
【補正対象項目名】図３
【補正方法】変更
【補正の内容】
【図３】
2006519566.tif 000001